(57)【要約】【課題】デジタルテレビ放送の受信機において、受信状態が悪化しても映像切れや音声切れを生じないようにする。【解決手段】放送局は、映像信号のＥＳおよび音声信号のＥＳである第１のＥＳと、この第１のＥＳを遅延した第２のＥＳとを１つのＴＳに多重化して送信する。受信機には、受信したＴＳから第１のＥＳと、第２のＥＳとを分離して取り出すデコーダ回路１３と、取り出した第１のＥＳを所定の時間だけ遅延するバッファメモリ１４とを設ける。遅延した第１のＥＳと、取り出した第２のＥＳとの一方のＥＳから映像信号および音声信号をデコードして出力するデコーダ回路１６を設ける。一方のＥＳにおけるパケットが欠落したとき、これを検出する検出回路１８を設ける。検出回路１８がパケットの欠落を検出したとき、この欠落を、他方のＥＳにおける対応するパケットにより補間する補間回路１５を設ける。【選択図】        図２
2004254170.tif 000002
【特許請求の範囲】
【請求項１】
映像信号のＥＳおよび音声信号のＥＳを遅延し、
この遅延した映像信号のＥＳおよび音声信号のＥＳと、上記映像信号のＥＳおよび音声信号のＥＳとを１つのＴＳに多重化し、
このＴＳを送信するようにしたデジタルテレビ放送の送信方法。
【請求項２】
映像信号のＥＳおよび音声信号のＥＳである第１のＥＳと、この第１のＥＳを遅延した第２のＥＳとを１つのＴＳに多重化した信号を受信する場合において、
受信した信号から上記ＴＳを取り出し、
この取り出したＴＳから上記第１のＥＳと、上記第２のＥＳとを分離して取り出し、
この分離して取り出した上記第１のＥＳを所定の時間だけ遅延し、
この遅延した第１のＥＳと、上記分離して取り出した第２のＥＳとの一方のＥＳから上記映像信号および音声信号を再生するとともに、
上記一方のＥＳにおけるパケットが欠落したとき、この欠落したパケットを、上記遅延した第１のＥＳと、上記分離して取り出した第２のＥＳとの他方のＥＳにおける対応するパケットにより補間する
ようにしたデジタルテレビ放送の受信方法。
【請求項３】
映像信号のＥＳおよび音声信号のＥＳである第１のＥＳと、この第１のＥＳを遅延した第２のＥＳとを１つのＴＳに多重化した信号を受信する受信機において、
受信した信号から上記ＴＳを取り出すチューナ回路と、
上記取り出したＴＳから上記第１のＥＳと、上記第２のＥＳとを分離して取り出すデコーダ回路と、
上記分離して取り出した上記第１のＥＳを所定の時間だけ遅延するバッファメモリと、
上記遅延した第１のＥＳと、上記分離して取り出した第２のＥＳとの一方のＥＳから上記映像信号および音声信号をデコードして出力するデコーダ回路と、
上記一方のＥにおけるパケットが欠落したとき、これを検出する検出回路と、
この検出回路が上記パケットの欠落を検出したとき、この欠落を、上記遅延した第１のＥＳと、上記分離して取り出した第２のＥＳとの他方のＥＳにおける対応するパケットにより補間する補間回路と
を有するデジタルテレビ放送の受信装置。
【発明の詳細な説明】
【０００１】
【発明の属する技術分野】
この発明は、デジタルテレビ放送の送信方法、受信方法および受信装置に関する。
【０００２】
【従来の技術】
デジタルテレビ放送方式として各種の方式が提案されている。どのデジタルテレビ放送方式においても、映像信号および音声信号は、映像ＥＳおよび音声ＥＳと呼ばれるデータ列に圧縮符号化され、そのデータ列が所定のデータ量ずつパケットに分割される。なお、このとき、映像パケットおよび音声パケットには、それぞれヘッダが付加される。
【０００３】
そして、映像パケットおよび音声パケットと、他のデータ列のパケットとが、ＴＳと呼ばれる１つのデータ列に多重化され、このＴＳに、エラー訂正用のエンコード処理および伝送用の変調処理などが施されて送信される（例えば、特許文献１参照）。
【０００４】
【特許文献１】
特開平１０−１５４９４４号公報
【０００５】
【発明が解決しようとする課題】
デジタルテレビ放送は上述のようなシステムとされているので、そのデジタルテレビ放送を受信するデジタルテレビ受像機は、受信した信号に対して、伝送時の復調処理およびエラー訂正用のデコード処理などを実行してＴＳを取り出す。そして、その取り出したＴＳを、ヘッダにしたがって映像パケットおよび音声パケットと、その他のパケットとに分割し、映像パケットから映像ＥＳを取り出してもとの映像信号を得るとともに、音声パケットから音声ＥＳを取り出してもとの音声信号を得るようにしている。
【０００６】
ところで、一般に、エラー訂正用のエンコード処理のされたデジタル信号は、そのＳ／Ｎが所定値以上であれば、エラー訂正機能によりもとのデータをデコードすることができるが、その所定値未満のときには、もとのデータをデコードすることができなくなる。一方、自動車に受信機を搭載して放送を受信している場合、自動車の走行につれて放送波の受信状態が大きく変化する。
【０００７】
したがって、デジタルテレビ受像機を自動車に搭載してデジタルテレビ放送を受信している場合には、自動車の走行につれて放送波の受信状態が悪化することがあり、そのとき、パケットが欠落してしまう。そして、パケットの欠落部分では、映像信号および音声信号が得ることができないので、映像切れや音切れを生じてしまう。
【０００８】
このため、一部の車載用のデジタル音声受信機は、放送波の受信状態を予測し、音切れを生じるときには、音声をフェードアウトし、音切れから回復するときには、音声をフェードインするようにしている。しかし、このようにしても音切れを生じることには変わりがない。
【０００９】
この発明は、以上のような問題点を解決し、受信状態が悪化しても映像切れや音切れを生じないようにしようとするものである。
【００１０】
【課題を解決するための手段】
この発明においては、例えば、
映像信号のＥＳおよび音声信号のＥＳである第１のＥＳと、この第１のＥＳを遅延した第２のＥＳとを１つのＴＳに多重化した信号を受信する場合において、
受信した信号から上記ＴＳを取り出し、
この取り出したＴＳから上記第１のＥＳと、上記第２のＥＳとを分離して取り出し、
この分離して取り出した上記第１のＥＳを所定の時間だけ遅延し、
この遅延した第１のＥＳと、上記分離して取り出した第２のＥＳとの一方のＥＳから上記映像信号および音声信号を再生するとともに、
上記一方のＥＳにおけるパケットが欠落したとき、この欠落したパケットを、上記遅延した第１のＥＳと、上記分離して取り出した第２のＥＳとの他方のＥＳにおける対応するパケットにより補間する
ようにしたデジタルテレビ放送の受信方法
とするものである。
したがって、受信状態の変動により一方のＥＳのパケットが欠落しても、これは他方のＥＳの対応するパケットにより補間され、その結果、映像切れや音切れが防止される。
【００１１】
【発明の実施の形態】
〔１〕  放送局における処理の例
図１Ａ〜Ｄは、放送局（送信側）における信号処理の一例を示す。すなわち、もとの映像信号および音声信号が圧縮符号化されるとともに、図１Ａに示すように、パケットＰ０、Ｐ１、Ｐ２、・・・・に分割される。このとき、各パケットＰ０、Ｐ１、Ｐ２、・・・の占める時間的な長さは、５０％弱よりも小さくされる。続いて、図１Ｂに示すように、パケットＰ０、Ｐ１、Ｐ２、・・・の先頭にヘッダ（斜線図示）がそれぞれ付加されてメインストリームＭＳが形成される。なお、このメインストリームＭＳにおけるパケットＰ０、Ｐ１、Ｐ２、・・・を、パケットＰ０ｍ、Ｐ１ｍ、Ｐ２ｍ、・・・とする。また、ヘッダは、図示はしないが、そのヘッダの付加されたパケットの順序を示すデータ（パケット番号）を有する。
【００１２】
また、図１Ｃに示すように、メインストリームＭＳが所定の時間ΔＴ（例えば、Δ＝３秒）だけ遅延されたサブストリームＳＳも形成される。なお、このサブストリームＳＳにおけるパケットＰ０、Ｐ１、Ｐ２、・・・を、パケットＰ０ｓ、Ｐ１ｓ、Ｐ２ｓ、・・・とする。
【００１３】
そして、これらメインストリームＭＳおよびサブストリームＳＳが、図１Ｄに示すように、メインストリームＭＳのパケットとサブストリームＳＳのパケットを交互に有する１つのＴＳに多重化され、このＴＳにエラー訂正用のエンコード処理および伝送用の変調処理などが施されてから放送波として送信される。
【００１４】
つまり、送信される放送波信号は、本来の映像信号および音声信号と、これらの信号が期間ΔＴだけ遅延した信号とを有することになり、映像信号および音声信号のＥＳを時間差で二重化して放送することになる。
【００１５】
〔２〕  テレビ受像機およびその処理の例
図２は、この発明によるデジタルテレビ受像機の一例を示し、図１Ｅ〜Ｋは、そのデジタルテレビ受像機における信号処理の一例を示す。なお、図１Ｅ〜Ｋにおいては、デジタルテレビ受像機が放送波信号を受信しているとき、受信状態に変動があり、その一部のパケットが正常に受信できない場合である。
【００１６】
すなわち、上記のように、放送局からは図１Ｄに示すＴＳの放送波信号が送信されてくるが、この放送波信号がアンテナ１１により受信されてチューナ回路１２に供給され、チューナ回路１２からは例えば図１Ｅに示すＴＳが取り出される。図１Ｅにおいては、受信状態に変動があり、破線で示すように、ＴＳのメインストリームＭＳのパケットＰ２ｍおよびサブストリームＳＳのパケットＰ１ｓが正常に得られなかった場合である。
【００１７】
そして、この取り出されたＴＳがデコーダ回路１３に供給されて図１ＦおよびＧに示すようにメインストリームＭＳおよびサブストリームＳＳが分離されて取り出される。今の場合、図１ＦおよびＧに破線で示すように、メインストリームＭＳのパケットＰ２ｍおよびサブストリームＳＳのパケットＰ１ｓは欠落している。
【００１８】
そして、この取り出されたメインストリームＭＳ（図１Ｆ）がバッファメモリ回路１４に供給されて図１Ｈに示すように期間ΔＴだけ遅延されてサブストリームＳＳ（図１Ｇ）と同時化され、この同時化されたメインストリームＭＳが補間回路１５に供給される。また、デコーダ回路１３から取り出されたサブストリームＳＳがそのまま補間回路１５に供給される。
【００１９】
さらに、デコーダ回路１３に検出回路１８が接続され、メインストリームＭＳにパケットの欠落を生じたとき、これが検出され、今の場合、図１Ｉに示すように、パケットＰ２ｍの期間に“１”レベルとなる検出信号Ｓ１８が取り出される。
【００２０】
そして、この検出信号Ｓ１８が補間回路１５にその制御信号として供給され、補間回路１５からは、Ｓ１８＝“０”のときにはメインストリームＭＳのパケットが取り出され、Ｓ１８＝“１”のときにはサブストリームＳＳのパケットが取り出される。したがって、今の場合、補間回路１５からは、図１Ｊに示すように、欠落したパケットＰ２ｍがサブストリームＳＳのパケットＰ２ｓにより補間されたメインストリームＭＳが取り出される。
【００２１】
そして、この補間処理されたメインストリームＭＳがデコーダ回路１６に供給されて図１Ｋに示すように、もとのパケットＰ０、Ｐ１、Ｐ２、・・・が取り出されるとともに、このパケットＰ０、Ｐ１、Ｐ２、・・・からもとの映像信号および音声信号がデコードされて出力される。
【００２２】
こうして、上述のデジタルテレビ受像機によれば、受信状態の変動により受信したＴＳにパケットの欠落があっても、その欠落したパケットが補間されたＥＳを得ることができる。したがって、自動車に搭載したテレビ受像機などにおいて、受信状態が変動しても、デコーダ回路１６から出力される映像信号および音声信号に途切れを生じることがなく、その結果、映像切れや音切れのない映像および音声を得ることができる。
【００２３】
〔３〕  受信処理の他の例
図２における補間回路１５および検出回路１８の処理は、マイクロコンピュータおよびそのソフトウェアにより実現することもでき、図３はその場合における処理ルーチンの一例を示す。
【００２４】
すなわち、このルーチン１００においては、ＣＰＵ（図示せず）の処理がステップ１０１からスタートし、次にステップ１０２において、パケット番号を指定するための変数Ｎが「０」にリセットされる。続いて、ステップ１１１において、バッファメモリ回路１４から出力されるメインストリームＭＳを使用する状態に設定され、次にステップ１１２において、バッファメモリ回路１４から出力されるメインストリームＭＳのうち、変数Ｎの示すパケット番号のパケットが抽出される。
【００２５】
そして、ステップ１１３において、ステップ１１２により抽出されたパケットにエラー訂正およびエラー修整の不可能なエラーを生じているかどうかが判別され、そのようなエラーを生じていないときには、処理はステップ１１３からステップ１１４に進み、このステップ１１４において、抽出されたパケット、今の場合はステップ１１２により抽出されたパケットが、デコーダ回路１６に出力される。
【００２６】
続いて、処理はステップ１１５に進み、変数Ｎが「１」だけインクリメントされてから処理はステップ１１１に戻り、以後、上述の処理が繰り返される。したがって、ステップ１１２により抽出されたパケットにエラーを生じていないときには、そのパケット、すなわち、バッファメモリ回路１４から出力されるメインストリームＭＳのパケットが使用されて映像および音声が再生される。
【００２７】
しかし、ステップ１１３において、ステップ１１２により出力に設定されたパケットにエラー訂正およびエラー修整の不可能なエラーを生じているときには、処理はステップ１１３からステップ１２１に進み、この１２１において、デコーダ回路１３から出力されるサブストリームＳＳを使用する状態に設定され、次にステップ１２２において、デコーダ回路１３から出力されるサブストリームＳＳのうち、変数Ｎの示すパケット番号のパケットが抽出される。そして、その後、処理はステップ１１４に進む。
【００２８】
したがって、ステップ１１２により出力に設定されたパケットにエラーを生じているときには、このときデコーダ回路１３から出力されるサブストリームＳＳのパケットが使用されて映像および音声が再生される。
【００２９】
こうして、このルーチン１００によれば、図１Ｊにも示すように、放送波信号を正常に受信できるときには、メインストリームＭＳのパケットが映像および音声の再生に使用されるが、放送波信号を正常に受信できないときには、そのエラーを生じているメインストリームＭＳのパケットがサブストリームＳＳのパケットにより補間され、映像および音声の再生に使用される。したがって、放送波の受信状態が変動しても、テレビ放送を常に正常に視聴することができる。
【００３０】
〔４〕  その他
上述においては、図１Ｇ〜Ｊに示す処理により映像切れおよび音切れを解決しているが、放送波信号を正常に受信できているときには、サブストリームＳＳのパケットから映像信号および音声信号を再生し、放送波信号を正常に受信できないときには、そのエラーを生じているサブストリームＳＳのパケットを、バッファメモリ回路１４におけるメインストリームＭＳの対応するパケットにより補間することもできる。そして、この場合には、バッファメモリ回路１４は、パケットを時間ΔＴ以上バッファリングしていればよく、時間ΔＴに精度を必要としない。
【００３１】
［この明細書で使用している略語の一覧］
ＣＰＵ：Ｃｅｎｔｒａｌ  Ｐｒｏｃｅｓｓｉｎｇ  Ｕｎｉｔ
ＥＳ  ：Ｅｌｅｍｅｎｔａｌｙ  Ｓｔｒｅａｍ
Ｓ／Ｎ：Ｓｉｇｎａｌ  ｔｏ  Ｎｏｉｓｅ  ｒａｔｉｏ
ＴＳ  ：Ｔｒａｎｓｐｏｒｔ  Ｓｔｒｅａｍ
【００３２】
【発明の効果】
この発明によれば、自動車に搭載したデジタルテレビ受像機などにおいて、放送波の受信状態が悪化しても、映像切れや音切れを生じることがない。
【図面の簡単な説明】
【図１】この発明を説明するためのタイミング図である。
【図２】この発明の一形態を示す系統図である。
【図３】この発明の一形態を示すフローチャートである。
【符号の説明】
１２…チューナ回路、１３…デコーダ回路、１４…バッファメモリ回路、１５…補間回路、１６…デコーダ回路、１８…検出回路
【図１】
2004254170.tif 000003
【図２】
2004254170.tif 000004
【図３】
2004254170.tif 000005